(57)【要約】本発明は、主板（２）と、主板（２）に取り付けられた複数の送風推進羽根（３）とを備える送風推進装置（１）に関するものであり、送風推進羽根（３）は主板（２）に実質的に垂直に配置されて実質的にラジアルファン構造部を形成していて、各々の送風推進羽根（３）は半径方向外側の、主板（２）に対して実質的に垂直に配置された前端（４）と、半径方向内側の、主板（２）に対して実質的に垂直に配置された後端（５）と、送風推進装置（１）の圧力側に配置された外面（６）と、送風推進装置（１）の吸込側に配置された内面とを有していて、送風推進羽根（３）の少なくとも一部の外面（６）に、主板（２）から間隔をおいて構成され、主板（２）から離れるように送風推進羽根（３）の前端（４）から後端（５）に向かって実質的に対角線上を延びる、少なくとも１つの隆起部（７）が配置及び／または構成されている。さらに本発明は、調理器具における本発明の送風推進装置（１）に関し、ならびに、少なくとも１つの本発明の送風推進装置（１）を含む調理器具に関する。
2005536683.tif 000002
【特許請求の範囲】
【請求項１】
主板（２）と、主板（２）に取り付けられた複数の送風推進羽根（３）とを備える送風推進装置（１）であって、送風推進羽根（３）は主板（２）に実質的に垂直に配置されて実質的にラジアルファン構造部を形成していて、各々の送風推進羽根（３）は半径方向外側の、主板（２）に対して実質的に垂直に配置された前端（４）と、半径方向内側の、主板（２）に対して実質的に垂直に配置された後端（５）と、送風推進装置（１）の圧力側に配置された外面（６）と、送風推進装置（１）の吸込側に配置された内面とを有する形式の送風推進装置であって、
送風推進羽根（３）の少なくとも一部の外面（６）に、主板（２）から間隔をおいて構成され、主板（２）から離れるように送風推進羽根（３）の前端（４）から後端（５）に向かって実質的に対角線上を延びる、少なくとも１つの隆起部（７）が配置及び／または構成されていることを特徴とする送風推進装置。
【請求項２】
前記隆起部（７）が、前記外面（６）の表面及び／または内部にある段部の形態で構成されていることを特徴とする、請求項１に記載の送風推進装置。
【請求項３】
前記送風推進羽根（３）が、前記外面（６）が前記前端（４）と前記後端（５）の間で半径方向外側に向かって湾曲するように、湾曲した状態で構成されていることを特徴とする、請求項１または２に記載の送風推進装置。
【請求項４】
少なくとも１つの前記隆起部（７）が少なくともその範囲内で約１ｍｍから１０ｍｍの高さ、特に２ｍｍから４ｍｍの高さを有していることを特徴とする、請求項１から請求項３のいずれか１項に記載の送風推進装置。
【請求項５】
少なくとも１つの前記隆起部（７）が少なくともその範囲内で１ｍｍから１０ｍｍの幅、特に２ｍｍから４ｍｍの幅を有していることを特徴とする、請求項１から請求項４のいずれか１項に記載の送風推進装置。
【請求項６】
少なくとも１つの前記隆起部（７）から前記主板（２）までの間隔が少なくともその範囲内で、特に前記前端（４）の領域で、少なくとも約５ｍｍから２５ｍｍ、特に１０ｍｍから２０ｍｍであることを特徴とする、請求項１から請求項５のいずれか１項に記載の送風推進装置。
【請求項７】
前記主板（２）と対向する前記送風推進羽根（３）の側にある、前記送風推進羽根（３）の保護部材状の支持部材（８）を備えていることを特徴とする、請求項１から請求項６のいずれか１項に記載の送風推進装置。
【請求項８】
少なくとも１つの前記隆起部（７）が少なくともその範囲内で円弧状に構成されていて、前記隆起部は、特に各前記後端（５）から各前記前端（４）に向かって前記支持部材（８）から離れるように曲がっていることを特徴とする、請求項７に記載の送風推進装置。
【請求項９】
少なくとも１つの前記隆起部（７）が４５°から９０°の角度で、特に７０°から９０°の角度で前記前端（４）と出会うことを特徴とする、請求項１から請求項８のいずれか１項に記載の送風推進装置。
【請求項１０】
少なくとも１つの前記隆起部（７）が少なくともその範囲内で、特に前記後端（５）の領域で、前記支持部材（８）に対して少なくとも約１ｍｍから１０ｍｍ、特に５ｍｍから１５ｍｍの間隔を有していることを特徴とする、請求項７から９までのいずれか１項に記載の送風推進装置。
【請求項１１】
少なくとも１つの前記隆起部（７）が少なくとも１つの線材で構成されていることを特徴とする、請求項１から請求項１０のいずれか１項に記載の送風推進装置。
【請求項１２】
少なくとも１つの前記隆起部（７）が少なくともその範囲内で前記送風推進羽根（３）の外面（６）に溶接されていることを特徴とする、請求項１から請求項１１のいずれか１項に記載の送風推進装置。
【請求項１３】
少なくとも１つの前記送風推進羽根（３）の外面（６）で、特に各々の前記送風推進羽根（３）の外面で、各前記隆起部（７）と前記外面（６）との間の取付領域に少なくともその範囲内で特異なエッジが溝の形態で、送風推進装置の回転方向に位置する側に構成されていることを特徴とする、請求項１から請求項１２のいずれか１項に記載の送風推進装置。
【請求項１４】
少なくとも１つの前記隆起部（７）が少なくともその範囲内で異形断面を有していて、特に湾曲していて、特に湾曲の焦点が、前記後端（５）のほうを向いている前記隆起部（７）の側に位置していて、及び／または特に前記後端（５）のほうを向いている側に少なくとも１つの溝を有していることを特徴とする、請求項１から請求項１３のいずれか１項に記載の送風推進装置。
【請求項１５】
少なくとも１つの前記隆起部（７）が、送風推進装置（１）の回転方向と反対を向いている側で、少なくともその範囲内で特にシリコーンで前記外面（６）と密着して接合されていることを特徴とする、請求項１から請求項１４のいずれか１項に記載の送風推進装置。
【請求項１６】
調理器具における、請求項１から請求項１５のいずれか１項に記載の送風推進装置。
【発明の詳細な説明】
【技術分野】
【０００１】
本発明は、主板と、主板に取り付けられた複数の送風推進羽根とを備える送風推進装置に関するものである。送風推進羽根は主板に実質的に垂直に配置されて実質的にラジアルファン構造部を形成している。各々の送風推進羽根は、半径方向外側の、主板に対して実質的に垂直に配置された前端と、半径方向内側の、主板に対して実質的に垂直に配置された後端と、送風推進装置の圧力側に配置された外面と、送風推進装置の吸込側に配置された内面とを有している。
【背景技術】
【０００２】
送風推進装置は従来技術から一般に知られていて、通常、空気を循環させる役目を果たすものである。送風推進装置は多種多様な形態のものが知られていて、たとえばプロペラ状の羽根を備える送風推進装置や、シャベル状の羽根を備える送風推進装置が知られている。従来技術から周知となっている送風推進装置の一つの問題点は、循環する空気中に存在している固体粒子及び／または液体粒子が送風推進装置の羽根の上に析出する可能性である。このことは送風推進装置の汚れにつながる。また、周知の送風推進装置によって、固体粒子及び／または液体粒子の好ましくない分散につながる可能性もある。
【０００３】
特に問題なのは、送風推進装置が調理器具の内部に配置されている場合における、特に油脂粒子の形態の固体粒子及び／または液体粒子の循環である。送風推進装置は、調理器具の中で少なくとも空気案内板によって調理空間から分離されたファン空間に配置されていて、調理空間から空気を吸い込んでこれを半径方向へ周囲壁に向かって排出し、そのようにして、調理空間からファン空間へ出てから再び調理空間へと戻る調理器具内部の空気流を生成する。送風推進装置の回りに同心的に加熱装置や熱交換器などが配置されていることも多く、その結果、循環する空気はこのような加熱装置や熱交換器のそばも通過して誘導され、それによって暖められる。このとき、循環する空気中にある油脂粒子も調理プロセス中にたとえば加熱装置に向かって誘導されて、そこで燃焼される可能性があり、このことは料理の品質低下や迷惑な臭気につながる恐れがある。この問題は、特に、調理器具内の空気が送風推進装置によって恒常的に循環する場合に起こるものであり、その場合、固体粒子及び／または液体粒子が循環空気流によって常に気体容積内に残存してしまう。
【０００４】
調理器具の内部で、送風推進装置によって循環する固体粒子及び／または液体粒子の析出を減らすために、特許文献１より、気体容積内で生じる気体流が当る衝突面ないし析出部を送風推進装置の周囲に含んでいる装置が公知となっていて、この場合、固体粒子及び／または液体粒子は衝突時に少なくとも部分的に析出し、第１の排出領域へと流出可能となっている。
【０００５】
さらに特許文献２より、送風推進装置の回転軸と実質的に平行に、調理空間のハウジング壁のほうを向いている支持円板ないし主板から突出する、放射状に配置された複数の羽根を備える送風推進装置が公知であり、この場合、少なくともいくつかの羽根の間で支持円板の近傍に、ただし支持円板から間隔をおいて、案内板が配置されていて、この案内板の半径方向外側の外端は送風推進装置の外側円周と実質的に同一直線上に並ぶとともに、半径方向内側の内端は送風推進装置の回転軸から間隔をおいて位置し、支持円板及びこれにそれぞれ隣接する両方の羽根とともに、半径方向外側に向いた気体流を支持円板の付近で生成するためのノズル装置をそれぞれ形成している。
【０００６】
特許文献３より、送風機の羽根の少なくとも一部の外面に、主板から離れるように延びる少なくとも１つの隆起部が配置された送風推進装置が公知である。
【０００７】
しかしながら従来技術から公知となっている装置の欠点は、送風推進装置を取り囲む付属装置もしくは送風推進装置に配置された付属装置によって、送風推進装置の効率が低下することである。こうした付属装置は、実際には、循環する空気の流動の妨げとなるからである。
【０００８】
【特許文献１】ドイツ特許第4206846号二次公報
【０００９】
【特許文献２】ドイツ特許第4307405号二次公報
【００１０】
【特許文献３】米国特許第1688345号公報
【発明の開示】
【発明が解決しようとする課題】
【００１１】
そこで本発明の課題は、従来技術の欠点が克服されるように、当分野に属する送風推進装置を改良することである。特に、送風推進装置の効率を有意に低下させることなく、調理器具内で循環する空気中に存在する固体粒子及び／または液体粒子が、送風推進装置によって、送風推進装置を取り囲む加熱装置または熱交換器へ直接到達するのを防ぐのが望ましい。
【課題を解決するための手段】
【００１２】
本発明の課題は、送風推進羽根の少なくとも一部の外面に、主板から間隔をおいて構成され、主板から離れるように送風推進羽根の前端から後端に向かって実質的に対角線上を延びる、少なくとも１つの隆起部が配置及び／または構成されていることによって解決される。
【００１３】
このとき特に、隆起部が、外面の表面及び／または内部にある段部の形態で構成されることが意図される。
【００１４】
本発明により、送風推進羽根が、外面が前端と後端の間で半径方向外側に向かって湾曲するように、湾曲した状態で構成されることも提案される。
【００１５】
少なくとも１つの隆起部が少なくともその範囲内で約１ｍｍから１０ｍｍの高さ、特に２から４ｍｍの高さを有しているのが好ましい。
【００１６】
また、本発明によれば、少なくとも１つの隆起部が少なくともその範囲内で１ｍｍから１０ｍｍの幅、特に２ｍｍから４ｍｍの幅を有することが意図されていてもよい。
【００１７】
本発明の送風推進装置は、少なくとも１つの隆起部から主板までの間隔が少なくともその範囲内で、特に前端の領域で、少なくとも約５ｍｍから２５ｍｍ、特に１０ｍｍから２０ｍｍであることを特徴としているのが好ましい。
【００１８】
また、本発明により、主板と対向する送風推進羽根の側にある、送風推進羽根の保護部材状の支持部材が提案される。
【００１９】
本発明によれば、少なくとも１つの隆起部は少なくともその範囲内で円弧状に構成されるのが好ましく、この隆起部は、各後端から各前端に向かって支持部材から離れるように曲がっているのが好ましい。
【００２０】
また、少なくとも１つの隆起部が４５°から９０°の角度で、特に７０°から９０°の角度で前端と出会うことも提案される。
【００２１】
少なくとも１つの隆起部が少なくともその範囲内で、特に後端の領域で、支持部材に対して少なくとも約１ｍｍから１０ｍｍ、特に５ｍｍから１５ｍｍの間隔を有しているのが好ましい。
【００２２】
さらに、少なくとも１つの隆起部が少なくとも１つの線材で構成されるのが好ましい。
【００２３】
本発明により、少なくとも１つの隆起部が少なくともその範囲内で送風推進羽根の外面に溶接されることも提案される。
【００２４】
本発明によれば、特に、少なくとも１つの送風推進羽根の外面で、特に各々の送風推進羽根の外面で、各隆起部と外面との間の取付領域に少なくともその範囲内で特異なエッジが溝の形態で、送風推進装置の回転方向に位置する側に構成されることが意図されていてよい。
【００２５】
少なくとも１つの隆起部が少なくともその範囲内で異形断面を有していて、特に湾曲していて、特に湾曲の焦点が、後端のほうを向いている隆起部の側に位置していて、及び／または特に後端のほうを向いている側に少なくとも１つの溝を有していることが意図されるのが好ましい。
【００２６】
さらに、少なくとも１つの隆起部が、送風推進装置の回転方向と反対を向いている側で、少なくともその範囲内で特にシリコーンで外面と密着して接合されているのが好ましい。
【００２７】
本発明による送風推進装置は調理器具に配置されていてよい。
【００２８】
本発明の根底には、主板の上の送風推進羽根の外面にある隆起部によって、一方では、循環する空気中に含まれる特に油脂粒子の形態の固体粒子及び／または液体粒子が送風推進装置によって直接半径方向へ方向転換されるのが防止されという驚くべき知見がある。むしろ、送風推進羽根の外面に当った固体粒子及び／または液体粒子は隆起部で止められ、隆起部の特別な幾何学形状によって主板の方向へ排出される。そして、主板の領域で固体粒子及び／または液体粒子は送風推進羽根から移動可能であり、調理器具内部の加熱装置等の送風推進装置を直接半径方向で取り囲むように配置された装置に当ることがない。
【００２９】
固体粒子及び／または液体粒子が、送風推進羽根から、送風推進装置を半径方向で取り囲む加熱装置等の装置へ直接放出されないので、特に油脂粒子が加熱装置で燃焼されることが防止される。そのような燃焼は、料理の品質低下や迷惑な臭気発生につながりかねない。
【００３０】
また他方では、本発明の送風推進装置によって、驚くべきことに、循環する空気の半径方向の流動経過に大きな障害物が配置されないので、送風推進装置の効率の有意な損失防止が達成される。さらに、送風推進羽根の外面に配置された隆起部は、送風推進羽根自体の追加の安定性をもたらす。
【００３１】
本発明のその他の構成要件や利点は、ただ１つの図からなる図面を参照しながら本発明の一実施例を詳しく説明する以下の説明から明らかである。
【発明を実施するための最良の形態】
【００３２】
図面は、矢印Ａの方向に回転しながら、図示しない空気案内板によってファン空間からその範囲内で区切られた調理空間で空気を循環させるために、部分的に図示している調理器具のファン空間に格納可能な本発明による送風推進装置１の斜視図を示している。送風推進装置１は主板２を有していて、その上に、調理器具の調理空間のほうを向いた複数の送風推進羽根３が配置されている。送風推進羽根３は湾曲するように構成されていて、主板２の上へ実質的に垂直に配置されていて、それにより実質的にラジアルファン構造部を主板２の上で形成している。各々の送風推進羽根３は、作動時に循環すべき空気と最初に接触する後端５と、作動時に送風推進装置１の圧力側に配置された外面６とを有している。さらに送風推進羽根３の外面６には、主板２から離れるように送風推進羽根３の前端４から後端５に向かって実質的に対角線上を延びる隆起部７が設けられている。このとき隆起部７は主板２から１０から２０ｍｍの間隔で外面６に配置されている。隆起部７は送風推進羽根３の幅全体にわたって延在するようにしてもよい。あるいは、主板２と対向するほうの送風推進羽根３の側に対して間隔を有してもよい。この間隔は５から１５ｍｍであるのが好ましい。主板２と対向するほうの送風推進装置１の側には、送風推進装置１内部における送風推進羽根３に追加して安定化に寄与する保護部材８が設けられている。隆起部７は送風推進羽根３の外面６から、２ｍｍから５ｍｍ隆起し、送風推進羽根３の後端５で空気流のほうを向いている端部のところで鋭いエッジで終わっているのが望ましく、それによって衝突する固体粒子及び／または液体粒子の排出溝を形成し、この排出溝は、固体粒子及び／または液体粒子が隆起部７を超えてさらに流れるのを防止し、逆に、主板２の方向への誘導を引き起こす。さらに、流れの陰になるほうへ位置する側には、外面６と隆起部７の間に密閉部が設けられていてよい。この密閉はたとえばシリコーンを用いるが、この分野の当業者にとって容易に想到可能なそれ以外のどのような密閉部が設けられていてもよい。
【００３３】
次に、本発明による送風推進装置１の機能形態について説明する。
【００３４】
送風推進装置１はファン空間の内部で図示しないモータにより図面の矢印Ａの方向に回転し、それにより、空気案内板の中央の開口部を介して調理空間から空気を吸い込み、これを半径方向外方に向かって排出し、その結果、空気はファン空間から外に出て空気案内板のそばを通り、再び調理空間に到達する。このとき送風推進装置１の領域に到達する固体粒子及び／または液体粒子、特にさまざまな大きさの油脂粒子は、送風推進装置の圧力側で送風推進羽根３の外面６に衝突し、隆起部７に沿って主板２に向かう方向へ排出される。固体粒子及び／または液体粒子が送風推進羽根３の前端４のところにある隆起部７の端部領域に達すれば（そして最終的に主板に達すれば）、こうして運び出された固体粒子及び／または液体粒子が、たとえば図示しない加熱装置または図示しない熱交換器の形態の、送風推進装置１を半径方向で取り囲む装置に直接放出されることがない。このように固体粒子及び／または液体粒子が加熱装置及び／または熱交換器を「迂回」することによってその燃焼が回避される。そのような燃焼は、迷惑な臭気発生や調理結果への悪影響につながってしまう。そうならないように、析出された固体粒子及び／または液体粒子を処分可能である。
【００３５】
このように調理器具における本発明の送風推進装置は、固体粒子及び／または液体粒子がたとえば送風推進装置１を取り囲む加熱装置１で直接析出するのを防止するとともに、さらには、送風推進装置１により循環する空気を実質的に完全に半径方向へ方向転換可能に作用する。なぜなら、送風推進装置１の効率が隆起部７によって些細にしか低下しないからである。送風推進装置１は、隆起部７によって高い安定性さえ得る。
【図面の簡単な説明】
【００３６】
【図１】本発明による送風推進装置を示す斜視図である。
【符号の説明】
【００３７】
１  送風推進装置
２  主板
３  送風推進羽根
４  前端
５  後端
６  外面
７  隆起部
８  保護部材
Ａ  回転方向
2005536683.tif 000003
【国際調査報告】
2005536683.tif 000004
2005536683.tif 000005
2005536683.tif 000006
2005536683.tif 000007
2005536683.tif 000008
2005536683.tif 000009